(57)【要約】【課題】画像形成の生産性の低下を抑えて簡単かつ低コストに像保持体表面を冷却する工夫がなされた画像形成装置を提供する。【解決手段】静電潜像を表面に保持する像保持体の該表面に保持された静電潜像を現像剤が収容された現像装置を用いて該現像装置に収容された現像剤により現像することで該像保持体表面に現像像を形成し、該現像像を、シート状の記録媒体に転写する転写領域で該記録媒体に転写し、記録媒体に転写された転写像を加熱することで該転写像を該記録媒体に定着し該記録媒体上に定着像からなる画像を形成する画像形成装置であって、上記像保持体表面の温度を検知する温度検知部と、上記温度検知部の検知結果を受けて上記転写領域へ、該記録媒体の吸熱性よりも高い吸熱性を有する吸熱シートを送り込むシート搬送装置とを備えた。【選択図】図１
2008020737.tif 000002
【特許請求の範囲】
【請求項１】
静電潜像を表面に保持する像保持体の該表面に保持された静電潜像を現像剤が収容された現像装置を用いて該現像装置に収容された現像剤により現像することで該像保持体表面に現像像を形成し、該現像像を、シート状の記録媒体に転写する転写領域で該記録媒体に転写し、記録媒体に転写された転写像を加熱することで該転写像を該記録媒体に定着し該記録媒体上に定着像からなる画像を形成する画像形成装置であって、
前記像保持体表面の温度を検知する温度検知部と、
前記温度検知部の検知結果を受けて前記転写領域へ、該記録媒体の吸熱性よりも高い吸熱性を有する吸熱シートを送り込むシート搬送装置とを備えたことを特徴とする画像形成装置。
【発明の詳細な説明】
【技術分野】
【０００１】
本発明は、電子写真方式を用いて形成された転写像を加熱して記録媒体に定着する画像形成装置に関する。
【背景技術】
【０００２】
複写機、ファクシミリ、プリンターなどの電子写真方式を用いた画像形成装置では、像保持体表面に保持された静電潜像をトナーが収容された現像装置を用いてその収容されたトナーを現像バイアスの作用により像保持体表面へ移行させることで像保持体表面に現像像を形成する。こうして像保持体表面に形成された現像像は、像保持体表面が用紙等の記録媒体に接する転写領域において記録媒体に直接転写されるか、あるいは中間転写体を介して記録媒体に二次転写される。電子写真方式を用いた画像形成装置の中には、記録媒体に転写された未定着の転写像を加熱して記録媒体に定着させる定着装置を備えたものが多く、像保持体表面の温度が、転写像を加熱する定着装置の発する熱によって上昇することがある。
【０００３】
また、近年では、用紙の両面それぞれに転写像を定着することに対応した両面出力型の画像形成装置が普及してきており、この両面出力型の画像形成装置の中には、まず、用紙の片面（おもて面）に現像像を転写し、次いでその転写像を加熱することで用紙に定着させてから用紙のもう一方の面（裏面）に現像像を転写し定着させるものがある。転写像を用紙のおもて面に加熱定着させてから用紙の裏面に現像像の転写を行う画像形成装置では、用紙おもて面に転写像を加熱定着させる際に用紙自体も加熱されてしまい、像保持体から現像像を用紙に直接転写する場合には、転写領域において像保持体表面が用紙に接するため像保持体表面の温度が加熱された用紙によって上昇してしまう。また、中間転写体を介して現像像を用紙に二次転写する場合であっても、二次転写領域において用紙に接する中間転写体は一次転写領域において像保持体表面に接しているため、加熱された用紙によって中間転写体の温度が上昇し、その温度上昇した中間転写体によって像保持体表面の温度も上昇してしまう。用紙1枚から受ける熱量は少なくても、連続して両面出力を行った場合、像保持体表面の温度上昇は無視できなくなる。
【０００４】
トナーを収容した現像装置は像保持体表面の近傍に配備されており、像保持体表面の温度が上昇すると、現像装置に収容されているトナーの温度も上昇してしまう。現像装置内部では収容したトナーを摩擦帯電させる目的等からトナーの攪拌が行われている。また、現像装置には、転写性を向上させる外添剤粒子をトナー母粒子に付着させたトナーを収容させておくことがある。現像装置に収容されているトナーの温度が上昇すると、トナー粒子表面を構成する結着樹脂が柔らかくなりトナー粒子同士がくっついて凝集してしまう等、トナーが劣化してしまうばかりか、上記外添剤粒子が攪拌作用によってトナー母粒子に埋没してしまい、トナーの転写性が悪化し、定着像である形成画像の濃度低下につながることがある。また、トナーの帯電能力は湿度に影響されやすく、現像装置に収容されているトナーの温度が上昇すると、それに伴って湿度が低下するためトナーが高帯電量化してしまうことがある。高帯電量化したトナーは、現像時に像保持体表面へ移行しにくく、また、電界を利用した転写では被転写面へ移行しにくい。そのため、形成画像の濃度低下がここでも引き起こされる。
【０００５】
そこで、像保持体表面を冷却する技術として、像保持体内部に冷却部材を配置し内部から像保持体表面を冷却する技術が提案されている（例えば、特許文献１〜３参照）。また、像保持体の温度が所定温度以下になるまで両面出力を中止したり給紙間隔を長くとる技術も提案されている（特許文献４参照）。さらに、片面に画像を定着した用紙を一旦待機させることで用紙温度を下げてからもう一方の面に定着像を得る技術も提案されている（特許文献５参照）。
【特許文献１】特開平７−３３４０３５号公報
【特許文献２】特開２００３−１４０５３３号公報
【特許文献３】特開２００４−３３３８９７号公報
【特許文献４】特開平１１−３４４８４２号公報
【特許文献５】特開平８−５４７５９号公報
【発明の開示】
【発明が解決しようとする課題】
【０００６】
しかしながら、像保持体内部から冷却する技術では、装置の構造が複雑になるとともに装置のコストが嵩む割には内部からの冷却であるため像保持体表面の冷却効率が悪い。また、両面出力の中止等を行う技術や、片面に画像を定着した用紙を一旦待機させる技術では、画像形成の生産性が極端に落ちてしまうといった不都合が生じる。
【０００７】
本発明は上記事情に鑑み、画像形成の生産性の低下を抑えて簡単かつ低コストに像保持体表面を冷却する工夫がなされた画像形成装置を提供することを目的とするものである。
【課題を解決するための手段】
【０００８】
上記目的を解決する本発明の画像形成装置は、静電潜像を表面に保持する像保持体の該表面に保持された静電潜像を現像剤が収容された現像装置を用いて該現像装置に収容された現像剤により現像することで該像保持体表面に現像像を形成し、該現像像を、シート状の記録媒体に転写する転写領域で該記録媒体に転写し、記録媒体に転写された転写像を加熱することで該転写像を該記録媒体に定着し該記録媒体上に定着像からなる画像を形成する画像形成装置であって、
上記像保持体表面の温度を検知する温度検知部と、
上記温度検知部の検知結果を受けて上記転写領域へ、該記録媒体の吸熱性よりも高い吸熱性を有する吸熱シートを送り込むシート搬送装置とを備えたことを特徴とする。
【０００９】
本発明の画像形成装置によれば、上記転写領域において記録媒体が接する被接触体表面の熱が吸熱シートによって吸熱され、その被接触体表面の温度が低下する。この結果、上記像保持体表面が冷却される。すなわち、転写像を記録媒体に定着する際の熱によって上記像保持体表面の温度が上昇しても、あるいは両面出力時における片面への転写像定着の際に加熱された記録媒体に起因して上記像保持体表面の温度が上昇してもその像保持体表面が冷却され、上記現像装置に収容されたトナーの温度上昇が事前に抑えられる。また、吸熱シートを上記転写領域へ送り込むだけで良いため、装置が複雑化することはなく低コストで上記像保持体表面を冷却することができる。さらに、吸熱シートを上記転写領域へ送り込むタイミングを調整することで画像形成の生産性低下が抑えられる。
【００１０】
ここで、上記像保持体は、回転することでその像保持体表面が上記転写領域を通過するものであってもよい。すなわち、記録媒体への直接転写方式を採用した画像形成装置であってもよく、このような直接転写方式を採用した画像形成装置であれば、両面出力時において加熱された記録媒体によって上記像保持体表面の温度が上昇しても、その像保持体表面が効率よく冷却される。
【００１１】
また、本発明の画像形成装置において、上記像保持体表面に形成された現像像の転写を受け上記転写領域で記録媒体に接する中間転写体を備えたものであってもよい。すなわち、両面出力時において加熱された記録媒体の熱は、中間転写体を介して上記像保持体表面に伝わり、その表面の温度が上昇するが、中間転写体の熱が吸熱シートによって吸熱されるため、像保持体表面も冷却されることになる。
【００１２】
さらに、上記温度検知部は、連続した両面出力の回数や時間から上記像保持体表面の温度が所定温度まで上昇していることを検知するものであってもよいが、上記像保持体表面の温度を検出する温度センサを備え、その温度センサの検出結果に基づいてその像保持体表面の温度が所定温度まで上昇していることを検知するものであることが好ましい。
【００１３】
上記温度検知部が、上記温度センサを備えることで、上記像保持体表面の温度上昇を正確に検知することができるばかりか、画像形成の生産性低下をより抑えることができる。
【００１４】
また、上記温度検知部は、上記像保持体表面の温度がトナーのガラス転移点温度よりも１０℃低い温度まで上昇していることを検知するものである態様であることがより好ましい。
【００１５】
上記像保持体表面の温度がトナーのガラス転移点温度よりも１０℃低い温度未満であれば、上記現像装置に収容されているトナーは、形成画像の濃度低下が問題になるほど加熱されることはなく、したがって、上記態様によれば、形成画像の生産性を高いレベルに維持したまま形成画像の濃度低下の問題発生が防止される。
【００１６】
また、本発明の画像形成装置において、上記シート搬送装置が、上記転写領域を経由して循環する搬送経路を備え、該搬送経路に沿って上記吸熱シートを搬送するものであることが好ましい。
【００１７】
こうすることで吸熱シートの再利用が行われ、コストが抑えられるばかりか環境面でも好ましい。
【００１８】
さらに、上記搬送経路が、記録媒体に転写された転写像を加熱することでその転写像を記録媒体に定着する定着領域を避けた経路であることがより好ましい。
【００１９】
上記定着領域を避けることで吸熱シートの吸熱能力が大幅に低下することが防止され、吸熱シートを短時間のうちに再利用しても、上記像保持体表面の熱が、再利用した吸熱シートによって十分に吸熱される。
【００２０】
また、本発明の画像形成装置において、上記シート搬送装置が、
シート状の記録媒体を収容し、上記転写領域へつながる第１シート収容部と、
上記第１シート収容部に収容された記録媒体よりも吸熱容量が大きなシート状物を収容し、上記転写領域へつながる第２シート収容部と、
上記温度検知部の検知結果を受けて上記転写領域へ上記第２シート収容部に収容されたシート状物を上記吸熱シートとして送り込むシート搬送制御部とを備えたものであってもよい。
【００２１】
例えば、上記第１シート収容部には普通紙を収容し、上記第２シート収容部には吸熱シートを収容して、画像出力用と冷却用とで２つのシート収容部の使い分けを行うことが可能となる。このようにすることで、シート状の記録媒体の補充や吸熱シートの取替えなどの作業が便利である。
【００２２】
また、本発明の画像形成装置において、上記シート搬送装置が、上記転写領域へ送り込んだ吸熱シートを冷却する冷却手段を備え、その冷却手段で冷却された吸熱シートを上記温度検知部の検知結果を受けてその転写領域へ再度送り込むものであることがより好ましい。
【００２３】
上記冷却手段によって、上記転写領域へ一度送り込まれた吸熱シートの吸熱能力が短時間のうちに回復し、より効率的な上記像保持体表面の冷却がなされる。
【００２４】
また、本発明の画像形成装置において、上記シート搬送装置は、水を含んだゲル状の材料を含有した吸熱シートを上記転写領域へ送り込むものであることが好ましい。
【００２５】
水の熱伝導率は０．５６１Ｗ／ｍＫであって平均的な紙の熱伝導率である０．０６Ｗ／ｍＫよりもはるかに大きい。水を含んだゲル状物質を含有した吸熱シートによれば、吸熱シート内部に水を蓄えることで、通常の用紙では吸収できないほど大きな熱量が、像保持体から吸熱シート内部の水に移動することとなり、高い冷却効果が発揮される。
【００２６】
また、本発明の画像形成装置において、固体状態から液体状態に変化して熱を吸収する結晶水和物を含有した吸熱シートを上記転写領域へ送り込むものであることも好ましい。
【００２７】
このような結晶水和物を含有した吸熱シートは、上記所定温度に達した像保持体から効率良く吸熱することができる。
【００２８】
また、本発明の画像形成装置において、上記シート搬送装置は、上記吸熱材料として、金属を有した吸熱シートを上記転写領域へ送り込むものであることも好ましい。
【００２９】
金属は、熱伝導率の高いものが多く、金属を有した吸熱シートにより、高い冷却効果が発揮される。
【発明の効果】
【００３０】
本発明の画像形成装置によれば、画像形成の生産性の低下を抑えて簡単かつ低コストに像保持体表面を冷却することができる。
【発明を実施するための最良の形態】
【００３１】
以下図面を参照して本発明の実施の形態を説明する。
【００３２】
図１は、本発明の一実施形態である画像形成装置の概略構成を示す図である。
【００３３】
図１に示す画像形成装置１は、電子写真方式を採用したモノクロの両面出力プリンタである。この画像形成装置１は、回転軸１０ａを中心にして時計回りに回転するドラム状の感光体１０を備え、この感光体１０の周囲には、帯電器２０、現像装置３０、転写ロール４０、およびクリーニングブレード５０が備えられている。また、画像形成装置１は、装置全体の制御を司る本体制御部９０も備えている。
【００３４】
図１に示す感光体１０は、時計回りに回転するドラム状の積層型電子写真感光体である。すなわち、この感光体１０は、円筒上の導電性支持体の上に、電荷発生層と電荷輸送層と保護層をこの記載順に積層してなるものである。保護層は、この感光体１０の最表層になる層であって、電荷輸送機能を有する構造単位を持ち、かつ架橋構造を有する樹脂を含有した高強度表面層である。なお、電荷発生物質の蒸着膜等による単層型電子写真感光体を用いてもよい。
【００３５】
帯電器２０は、感光体１０の表面１０１に接触した状態で回転する帯電ロール２１を備えた接触帯電方式の帯電器である。帯電ロール２１には、直流電圧、あるいは直流電圧に交流電圧を重畳させた帯電バイアスが印加される。この帯電ロール２１は、感光体１０に接触して回転する半導電性のものであり、感光体１０との接触部近傍の微小空隙で放電を発生させることにより感光体１０を帯電させる。感光体１０は、この帯電ロール２１によって帯電される。なお、帯電ロール２１は単層構造のものであってもよいし多層構造のものであってもよく、さらに導電性のものであってもよい。また、帯電ロール２１に代えてブレード状の帯電部材、ベルト状の帯電部材、ブラシ状の帯電部材、磁気ブラシ状の帯電部材などが適応可能である。帯電ロール２１やブレード状の帯電部材については感光体１０に対し、接触状態に限らずある程度の空隙（１００μｍ以下）を有した近接状態として配置しても構わない。なお、非接触帯電方式のコロトロン帯電器を用いてもよい。
【００３６】
現像装置３０は、現像剤収容体３１と、現像ロール３２と層規制部材３３を有する。現像剤収容体３１には小粒径でほぼ球形のトナーと磁性キャリアを含む二成分現像剤が収容されている。現像剤収容体３１に収容されたトナーのトナー母粒子表面には、転写性を向上させる転写助剤粒子や帯電を制御する帯電制御剤粒子等の外添剤粒子が付着している。また、この現像剤収容体３１には、回転自在な２つの撹拌オーガ３１１が配備されている。これらの撹拌オーガ３１１が回転することによって、現像剤収容体３１内では現像剤が撹拌されてトナーと磁性キャリアは互いに異なる極性に摩擦帯電され、トナーが磁性キャリアの周面に静電的に付着する。現像ロール３２は、感光体表面１０１に対向した状態で回転する現像スリーブ３２１を有する。この現像スリーブ３２１は、表面に現像剤を保持するものであり、現像スリーブ３２１と感光体表面１０１とが対向する領域が現像領域になる。現像スリーブ３２１の内側には、回転する現像スリーブ３２１に対して固定された状態でマグネットロール（不図示）が配備されている。マグネットロールは、トナーが付着した磁性キャリアを現像スリーブ３２１に吸着させるためのピックアップ磁極や、現像剤を現像領域で穂立ちさせる磁極や、現像領域通過後の現像剤を現像スリーブ３２１上から剥がすためのピックオフ磁極等を有する。ピックアップ磁極によって現像スリーブ３２１に吸着された現像剤は、現像スリーブ３２１上で層規制部材３３によって層状にならされ、現像スリーブ３２１が回転することで現像領域まで搬送される。現像スリーブ３２１には直流電圧に交流電圧を重畳させた現像バイアスが印加されている。現像スリーブ３２１は、現像領域では感光体表面１０１に近接しており、現像スリーブ３２１の表面に保持されたトナーは、その現像領域において、現像バイアスの作用によって現像スリーブ３２１から感光体表面１０１へ移行する。なお、図１に示す現像ロール３２を備えた現像装置に代えて、感光体表面１０１にブラシを用いてトナーを付着させる公知の現像装置を用いてもよい。
【００３７】
図１に示す画像形成装置１において画像形成が行われる際には、まず、感光体表面１０１に現像像を形成する現像像形成サイクルが実行される。この現像像形成サイクルでは、感光体１０の表面１０１が、帯電器２０によって一様に帯電された後、画像情報に基づくレーザ光Ｌが照射され、感光体表面１０１に静電潜像が形成される。この静電潜像は、現像装置３０に収容された現像剤により現像され、感光体表面１０１には現像像が形成され、現像像形成サイクルが終了する。
【００３８】
転写ロール４０は、バネ４１により感光体表面１０１に向けて押し付けられている。この転写ロール４０は、導電性あるいは半導電性の回転可能な単層の発泡ロールである。図１に示す画像形成装置１では、感光体１０と転写ロール４０によって挟み込まれた領域が転写領域Ｓになる。
【００３９】
また、図１に示す画像形成装置１は、両面出力に対応したシート搬送装置６０も備えている。このシート搬送装置６０は、用紙を積載した状態で収容する第１トレイ６１と、その第１トレイ６１から転写領域Ｓへ向かう送込経路６２０とを有する。したがって、第１トレイ６１は、送込経路６２０を介して転写領域Ｓへつながっており、この第１トレイ６１に収容された用紙Ｐｎは転写領域Ｓへ送り込まれる。転写ロール４０には、トナーの帯電極性とは逆極性の転写バイアスが印加されており、感光体表面１０１に形成された現像像は、転写領域Ｓにおいて感光体表面１０１から用紙Ｐｎへ転写バイアスの作用により転写される。なお、転写バイアスは、直流電圧であってもよいし直流電圧に交流電圧を重畳させたものであってもよい。
【００４０】
図１に示すクリーニングブレード５０は、転写領域Ｓよりも感光体回転方向下流側であって帯電ロール２１よりも感光体回転方向上流側の位置に配備された、ゴム材料からなる板状部材である。感光体１０の、転写領域Ｓを通過した表面１０１には、転写領域Ｓにおいて用紙Ｐｎの表面へ移行することができなかった残留トナー等の異物が残留している。クリーニングブレード５０は、先端の縁が感光体表面に圧接されており、感光体が回転することでその表面１０１から残留トナー等の異物を掻き取り、感光体表面１０１はクリーニングされる。
【００４１】
さらに、図１に示す画像形成装置１は、転写領域Ｓよりも用紙搬送方向下流側に定着器７０を備えている。この定着器７０は、加熱源としてのハロゲンランプ７１１が内蔵された定着ロール７１と、定着ロール７１に対向するように設けられた圧力ロール７２とを備えている。互いに対向する定着ロール７１と圧力ロール７２の間であるニップ領域Ｎには、転写領域Ｓを通過した記録用紙Ｐｎが搬送されてくる。記録用紙Ｐｎ上の転写像を構成するトナーは、定着ロール７１のハロゲンランプ７１１により溶融され圧力ロール７２からの圧力を受けて記録用紙Ｐｎに定着し、定着像からなる画像が形成される。
【００４２】
また、両面出力に対応したシート搬送装置６０には、定着器７０および第２トレイ６８
を避けて転写領域Ｓから２つの搬送ロール６３３，６３４の間を通って転写領域Ｓへ戻る転写循環経路６３０が設けられている。この転写循環経路６３０の、転写領域Ｓよりも下流側には、不図示のソレノイドによって駆動する第１ガイド板６３１が配備されており、転写領域Ｓよりも上流側には、同じく不図示のソレノイドによって駆動する第２ガイド板６３２が配備されている。シート搬送装置６０には、それぞれのソレノイドをオン／オフすることで第１ガイド板６３１の姿勢や第２ガイド板６３２の姿勢を変化させるシート搬送制御部６７が備えられている。
【００４３】
シート搬送制御部６７は、第１ガイド板６３１の姿勢を循環姿勢と定着姿勢との間で姿勢変化させる。用紙Ｐｎが、転写領域Ｓを通過して転写循環経路６３０に沿って第１ガイド板６３１の位置まで搬送されてきたときには、第１ガイド板６３１の姿勢は定着姿勢となるように制御され、用紙Ｐｎは、転写循環経路６３０から分岐して定着経路６４０に沿って搬送される。後述するように、吸熱シートＰｔが転写循環経路６３０に沿って第１ガイド板６３１の位置まで搬送されてきたときには、第１ガイド板６３１の姿勢は循環姿勢となるように制御される。また、シート搬送制御部６７は、第２ガイド板６３２の姿勢を循環姿勢と戻し姿勢とに姿勢変化させる。用紙Ｐｎが転写循環経路６３０に沿って第２ガイド板６３２の位置まで搬送されてきたときには、第２ガイド板６３２の姿勢は循環姿勢となるように制御され、用紙Ｐｎはそのまま転写循環経路６３０に沿って搬送される。後述するように、吸熱シートＰｔが転写循環経路６３０に沿って第２ガイド板６３２の位置まで搬送されてきたときには、第２ガイド板６３２の姿勢は戻し姿勢となるように制御される。図１には、循環姿勢の第１ガイド板６３１と、戻し姿勢の第２ガイド板６３２がそれぞれ示されている。
【００４４】
図１に示す画像形成装置１における片面出力の際には、第１トレイ６１から引き出された用紙Ｐｎは、送込経路６２０を通って転写領域Ｓに送り込まれ、感光体表面１０１から用紙Ｐｎのおもて面に現像像が転写される。おもて面に現像像の転写を受けた用紙Ｐｎは、第１ガイド板６３１まで搬送され、定着姿勢の第１ガイド板６３１によって定着経路６４０に入り定着器７０のニップ領域Ｎへ送り込まれ、おもて面に定着像からなる画像が形成された用紙Ｐｎが出力される。
【００４５】
一方、両面出力の際には、第１トレイ６１から引き出された用紙Ｐｎは、片面出力と同じようにして定着器７０のニップ領域Ｎに送り込まれ、用紙Ｐｎのおもて面に定着像からなる画像が形成される。おもて面に画像形成が行われた用紙Ｐｎは、両面経路６６０上に設けられた搬送ロール６６１の間を通って転写循環経路６３０に戻り、図の下方にある第２ガイド板６３２まで搬送される。第２ガイド板６３２まで搬送されてきた用紙Ｐｎは、循環姿勢の第２ガイド板６３２によって転写循環経路６３０から外れることなく再び転写領域Ｓへ送り込まれる。転写領域Ｓに再び送り込まれた用紙Ｐｎは、裏面を感光体表面１０１に向けた状態で転写領域Ｓを通過し、感光体表面１０１から用紙Ｐｎの裏面に現像像が転写される。裏面に現像像の転写を受けた用紙Ｐｎは、おもて面に現像像の転写を受けたときと同じようにして定着器７０のニップ領域Ｎへ送り込まれ、用紙Ｐｎの裏面に定着像からなる画像が形成される。こうして用紙両面に画像形成が行われた用紙Ｐｎが出力されるが、用紙Ｐｎのおもて面に転写像の定着がなされる際、用紙Ｐｎは、定着ロール７１に内蔵されたハロゲンランプ７１１からの熱によって加熱され、用紙Ｐｎの温度が高いまま用紙裏面への転写が行われる。このため、感光体表面１０１が加熱された用紙Ｐｎに接し、感光体表面１０１の温度が上昇してしまう傾向にある。また、感光体表面１０１は、定着ロール７１に内蔵されたハロゲンランプ７１１の輻射熱によっても加熱されてしまうことがある。感光体表面１０１の温度が上昇したまま次の現像像形成サイクルが実施されると、現像領域において、感光体表面１０１に近接する現像スリーブ３２１が感光体表面１０１の熱によって加熱されてしまう。また、現像スリーブ３２１に保持されているキャリアも加熱され、さらには、現像に用いられなかったトナーも加熱される。この結果、現像装置３０の現像剤収容体３１に収容されているトナーの温度が、加熱された現像スリーブ３２１によって上昇してしまう。また、ピックオフ磁極によって現像スリーブ３２１上から剥がされたキャリアやトナーが、現像剤収容体３１に収容されているトナーに混ざることも、現像剤収容体３１に収容されているトナーの温度上昇の一因となる。現像剤収容体３１に収容されているトナーの温度が上昇すると、トナー粒子表面を構成する結着樹脂が柔らかくなりトナー粒子同士がくっついて凝集等によりトナーが劣化してしまうばかりか、外添剤粒子が撹拌オーガ３１１による攪拌作用によってトナー母粒子に埋没してしまったり、トナーが高帯電化してしまい、形成画像の濃度低下が引き起こされる。
【００４６】
図１に示す画像形成装置１では、感光体表面１０１の温度を検出する温度センサ１１が現像領域の近傍に配置されている。本体制御部９０は、その温度センサ１１の検出結果に基づいて、感光体表面１０１の温度が、現像剤収容体３１に収容されたトナーのガラス転移点温度よりも１０℃低い温度（以下、この温度を閾値温度と称する）まで上昇していることを検知する。したがって、温度センサ１１と本体制御部９０を併せたものが本発明にいう温度検知部の一例に相当する。本体制御部９０は、感光体表面１０１の温度が閾値温度まで上昇していることを検知すると、現像像形成サイクルの実施を一旦中止する。
【００４７】
この画像形成装置１では、第２トレイ６８内に、感光体表面１０１に接触してその表面１０１を冷却する吸熱シートＰｔが収容されており、感光体表面１０１の温度が閾値温度まで上昇していることが検知されると、第２トレイ６８内の吸熱シートＰｔが転写領域Ｓへ送り込まれる。吸熱シートとしては、熱伝導率の大きい材料を含有するシート状物や、相状態の変化（例えば、固体状態から液体状態への変化）あるいは化学反応などによって熱を吸収する材料を含有するシート状物が採用可能である。また、吸熱シートが画像形成装置内において用紙の搬送機構によって搬送されるためには、厚みが５３μｍ〜２５５μｍの範囲内にあり、曲げこわさが１．１ｇｆｃｍ〜２５６ｇｆｃｍの範囲内にある吸熱シートが好ましい。また、吸熱シートの大きさの点では、感光体表面１０１との接触面積の大きい吸熱シートが、熱容量が大きく冷却効果が高いので好ましい。
【００４８】
図１に示す画像形成装置１では、上記の条件を満たす吸熱シートの一例として、水を含んだゲル状の材料を内包した、Ａ３サイズの吸熱シートが採用されている。
【００４９】
図２は、吸熱シートの構造を模式的に表した断面図である。
【００５０】
図２に示すように、図１に示す画像形成装置１で採用されている吸熱シートＰｔは、水１００の中にポリアクリル酸１０１が分散したゲル状のコロイド溶液を、ＯＨＰシートの材料である高分子ポリマー１０２が覆った構造を備えている。吸熱シートＰｔでは、主に、ゲル状となったコロイド溶液中の水１００によって、感光体表面１０１から吸熱シートに伝わった熱が吸収される。水の熱伝導率は０．５６１Ｗ／ｍＫであって平均的な紙の熱伝導率である０．０６Ｗ／ｍＫよりもはるかに大きい。このため、吸熱シートＰｔでは、上記の構造により、通常の用紙では吸収できないほど大きな熱量が、感光体表面１０１から吸熱シート内部の水１００に移動することとなり、高い冷却効果が発揮される。
【００５１】
シート搬送制御部６７は、感光体表面１０１の温度が閾値温度まで上昇しているという本体制御部９０からの検知結果を受けると、第１ガイド板６３１の姿勢を循環姿勢にするとともに第２ガイド板６３２の姿勢を戻し姿勢にする。続いて、シート搬送制御部６７は、搬送ロール６９１を介して第２トレイ６８から吸熱シートＰｔを取り出し、第１連絡経路６９０ａを介して転写循環経路６３０に入れ、転写領域Ｓへ送り込む。こうすることで、吸熱シートＰｔが閾値温度まで上昇した感光体表面１０１に接触し、感光体表面１０１の熱が吸熱シートＰｔに吸熱され、感光体表面１０１が効果的に冷却される。この結果、この現像剤収容体３１に収容されているトナーが問題を生じるほど高温になることが事前に防止される。転写領域Ｓを通過した吸熱シートＰｔは、循環姿勢の第１ガイド板６３１によって転写循環経路６３０から外れることなく転写循環経路６３０に沿って第２ガイド板６３２まで搬送される。連絡姿勢の第２ガイド板６３２に到達した吸熱シートＰｔはその第２ガイド板６３２によって第２連絡経路６９０ｂに入り、第２トレイ６８に再び収容される。
【００５２】
第２トレイ６８には、内部に収容された吸熱シートＰｔに風を送る冷却ファン６８１が設けられている。このため、一度吸熱シートに用いられた吸熱シートＰｔを短時間のうちに再び吸熱シートとして使用しても、感光体表面は充分に冷却される。
【００５３】
以上の説明では、ゲル状のポリアクリル酸を、ＯＨＰシートの材料である高分子ポリマーが覆った構造を備えた吸熱シートが採用されているが、以下では、これ以外の構造を備えた吸熱シートの例をいくつか紹介する。
【００５４】
図３は、図２に示すゲル状のポリアクリル酸と高分子ポリマー１０２との間に、金属膜が設けられた吸熱シートの模式断面図である。
【００５５】
図３に示す吸熱シートＰｔ１では、金属膜１０３が、ゲル状のポリアクリル酸１００を覆い、さらにその金属膜１０３を高分子ポリマー１０２が覆った２重構造を備えている。
吸熱シートが金属を含むと曲げこわさが大きくなるが、熱伝導率が高くなるので、図３のような構造を備えることにより、図２に示す吸熱シートＰｔよりも熱吸収性の高い吸熱シートが実現する。金属膜１０３として使用される金属材料は、熱伝導率が高いものが好ましく、特に熱伝導率が高いアルミニウムや銅が好ましい。
【００５６】
なお、水を含んだゲル状の材料としては、図２および図３のポリアクリル酸１０１のコロイド溶液の他にも種々の材料が知られており、本発明では、それらを吸熱シートの材料として使用することもできる。例えば、セルロースが水に分散したコロイド溶液がゲル状となったものも吸熱シートの材料として使用可能である。
【００５７】
図４は、図２に示す、水分を吸収したポリアクリル酸を、リン酸ナトリウムの結晶水和物に置き換えた吸熱シートの模式断面図である。
【００５８】
リン酸ナトリウムの結晶水和物は、常温以上、高温状態に達したときの感光体１０の表面温度以下の温度で、固体状態から液体状態に変化し、この状態変化の際に外部から熱を吸収する。図４に示す吸熱シートＰｔ２は、このような特性を有するリン酸ナトリウムの結晶水和物１０４を、ＯＨＰシートの材料である高分子ポリマー１０２が覆った構造を備えており、高温状態に達した感光体表面１０１から効率良く熱を奪うことができる。このリン酸ナトリウムの結晶水和物１０４は、固体状態といってもほぼゲル状となっており、このため、吸熱シートＰｔ２のしなやかさを損なうことなく、上述した曲げこわさの条件（曲げこわさが１．１ｇｆｃｍ〜２５６ｇｆｃｍの範囲内に属するという条件）を満たしている。
【００５９】
図５、図４に示すリン酸ナトリウムの結晶水和物と高分子ポリマー１０２との間に、金属膜が設けられた吸熱シートの模式断面図である。
【００６０】
図５に示す吸熱シートＰｔ３では、金属膜１０３が、リン酸ナトリウムの結晶水和物１０４を覆い、さらにその金属膜１０３を高分子ポリマー１０２が覆った２重構造を備えている。金属膜１０３を付加することで、熱伝導率が高くなり、図４に示す吸熱シートＰｔ２よりも熱吸収性の高い吸熱シートが実現する。
【００６１】
なお、高温状態に達したときの感光体１０の表面温度と同程度の温度で固体状態から液体状態に変化する材料としては、図４および図５のリン酸ナトリウムの結晶水和物１０４の他に種々の材料が知られており、本発明では、それらを吸熱シートの材料として使用することもできる。例えば、硫酸ナトリウムの結晶水和物も、吸熱シートの材料として使用可能である。
【００６２】
図６は、金属膜を表面に備えた吸熱シートを表した図である。
【００６３】
図６のパート（ａ）には、金属膜１０３を表面に備えた吸熱シートを上から見たときの様子が示されており、図６のパート（ｂ）には、その断面が示されている。
【００６４】
図６のパート（ａ）および図６のパート（ｂ）に示す吸熱シートＰｔ４では、薄いＯＨＰシート（高分子ポリマー１０２からなる薄いシート）の表面に金属膜１０３が設けられている。この吸熱シートＰｔ４では、金属膜１０３が設けられている面が感光体表面１０１と直接接する。このように表面に金属膜１０３を備えるだけの簡単な構成でも吸熱性の高い吸熱シートが実現できる。このように構成が簡単であるため、この吸熱シートＰｔ４には、コストが低いという利点がある。上述したように、金属膜１０３として使用される金属材料は熱伝導率が高いものが好ましく、特に熱伝導率が高いアルミニウムや銅が好ましい。また、ＯＨＰシート表面に、金属膜１０３を設ける方法としては、金属紛を塗布する方法、金属膜を作製してからＯＨＰシート表面に付着させる方法、金属を蒸着させる方法など、従来から用いられている種々の方法が採用可能である。また、図６のパート（ａ）に示すようなＯＨＰシートのほぼ全面に金属膜１０３を設ける代わりに、金属膜１０３をＯＨＰシート表面に部分的に配置した吸熱シートや、金属膜１０３をＯＨＰシート内部に取り込んだ吸熱シートも使用可能である。
【００６５】
図７は、金属膜が表面にライン状に配置された吸熱シートを表した図、図８は、金属膜が表面に斑点状に配置された吸熱シートを表した図である。
【００６６】
図７に示す吸熱シートＰｔ５、図８に示す吸熱シートＰｔ６のように、金属膜１０３を、ＯＨＰシート表面に部分的に配置した吸熱シートでも、図６の吸熱シートの吸熱性には劣るものの、充分な吸熱性が発揮される。図７や図８に示す吸熱シートでは、金属膜１０３として使用される金属の量を減らすことができ、図６の吸熱シートよりさらなる低コスト化が実現する。
【００６７】
図９は、金属膜をＯＨＰシート内部に取り込んだ吸熱シートの模式断面図、図１０は、金属粉が、ＯＨＰシートの材料である高分子ポリマーと混合されて作製された吸熱シートの模式断面図である。
【００６８】
図９に示す吸熱シートＰｔ７は、金属膜１０３をＯＨＰシート（高分子ポリマー１０２からなるシート）内部に取り込んでおり、金属膜１０３が剥がれるおそれがない吸熱シートとなっている。図１０に示す吸熱シートＰｔ８は、金属粉１０５が内部に分散されており、このような構成によって耐久性の高い吸熱シートが実現する。この金属粉１０５として使用される金属材料は、金属膜１０３で使用される材料と同様に熱伝導率が高いものが好ましく、特に熱伝導率が高いアルミニウムや銅が好ましい。
【００６９】
なお、これまで説明してきた画像形成装置１は、いずれも記録媒体への直接転写方式を採用したものであったが、中間転写ベルトや中間転写ドラム等の中間転写体を用いた中間転写方式を採用したものであってもよい。中間転写方式を採用した画像形成装置では、両面出力時において加熱された用紙Ｐｎの熱は、感光体表面に形成された現像像の転写を受ける中間転写体を介して感光体表面に伝わり、感光体表面の温度が上昇するが、中間転写体が用紙Ｐｎに接する二次転写領域へ吸熱シートを送り込むことで、中間転写体の熱が吸熱シートによって吸熱されるため、感光体表面も冷却される。
【００７０】
続いて、図１に示す画像形成装置１の変形例について説明する。これまで説明した図１に示す画像形成装置１では、本体制御部９０は、感光体表面１０１の温度を検出する温度センサ１１の検出結果に基づいて感光体表面１０１の温度が閾値温度まで上昇していることを検知する。感光体表面１０１の温度が閾値温度未満であれば、現像剤収容体３１に収容されたトナーは、形成画像の濃度低下が問題になるほど加熱されることはない。したがって、図１に示す画像形成装置１によれば、形成画像の生産性を高いレベルに維持したまま形成画像の濃度低下の問題発生が防止されるが、ここで説明する変形例の画像形成装置では、図１に示す温度センサ１１を省略し、コストダウンを図っている。ここでは、温度センサ１１を省略した代わりに、本体制御部９０には、連続した両面出力が何回続くと感光体表面１０１の温度が閾値温度まで上昇するかを実験によって求めたデータを記憶させている。こうすることで、本体制御部９０は、連続した両面出力の回数をカウントし、そのカウント結果と上記データとを比較することで、温度センサ１１の検出結果に基づくよりは不正確ではあるが、感光体表面１０１の温度が閾値温度まで上昇したかを検知することができる。なお、連続した両面出力の回数に代えて連続した両面出力の時間を用いても良い。
（実施例）
以下、実施例および比較例により本発明をさらに具体的に説明するが、本発明はこれらに限定されるものではない。
（実施例１）
試験機として、図１に示す画像形成装置の変形例と同じ構成の、電子写真方式を採用した画像形成装置を用いた。この画像形成装置は、図１に示す画像形成装置において、感光体表面１０１の温度を検出する温度センサ１１が省略されている点と、第２トレイ６８から冷却ファン６１１が取り外されている点を除けば、図１に示す画像形成装置と同じ構成を備えており、本体制御部９０が、連続した両面出力の回数をカウントすることで感光体表面１０１の温度が所定温度まで上昇したことを検知する。ここでは、本体制御部９０は、ワンジョブの中で連続した両面出力が８回続くことで感光体表面１０１の温度が所定温度まで上昇したことを検知する。
【００７１】
表１に、ここで用いた画像形成装置の特徴的構成を示す。
【００７２】
【表１】
2008020737.tif 000003
【００７３】
なお、現像装置の現像剤収容体は、ガラス転移点温度が５０℃のトナーを含む現像剤を収容したものである。この現像剤収容体に収容されたトナー粒子は、平均粒径が６．４μｍであり、形状係数（ＳＦ１）が１３２であるほぼ球状の重合湿式トナー粒子である。ここで、トナーの形状係数（ＳＦ１）は、スライドグラス上に散布したトナーの光学顕微鏡像をビデオカメラを通じてルーゼックス画像解析装置に取り込み、５０個のトナーの最大長の２乗／投影面積（ＭＬ２／Ａ）と以下の計算式から、各々のトナーについてＳＦ１を計算し、平均値を求めることにより得られたものである。
【００７４】
ＳＦ１＝（ＭＬ２／Ａ）×（１００×π／４）
また、トナー母粒子表面には、転写助剤粒子や帯電制御剤粒子等の外添剤粒子（平均粒径；４０ｎｍ〜５０ｎｍ）が付着している。さらに、転写ロール４０には、外形１８ｍｍの半導電性発泡ロール体を用いた。
【００７５】
試験では、用紙の両面それぞれに、複数のソリッドパッチ（黒い部分）を有する画像比率１％〜４％の混合チャートを、連続して５０００枚にわたって出力するという走行試験の実施中に、８枚出力するたびに転写領域Ｓへ吸熱シートを１回送り込んだ。この走行試験における５０００枚にわたる出力のうち、１００枚ごとに、用紙の両面について複数のソリッドパッチそれぞれの濃度をＸ−ｒｉｔｅ社製Ｘ−ｒｉｔｅ４０４を用いて３回測定して平均を取り、さらにそれらの平均値をソリッドパッチ数で平均して１枚分の画像濃度（単位はＳＡＤ）を求め、得られた５０回分の画像濃度の平均をとることで、最終的な画像濃度を算出した。評価結果を表１に示すが、この表１では、１．４２以上を◎、１．３９以上１．４２未満を○＋、１．３７以上１．３９未満を○、１．２０以上１．３７未満を△、１．２未満を×として表す。この実施例１では○の評価であった。
【００７６】
また、画像形成出力回数（プリント枚数）を１分間隔で１分ごと測定し、片面出力時に換算し、吸熱シートを転写領域Ｓへ送り込まずに片面出力を続けた場合を１００％とした場合の画像形成生産性を算出した。評価結果を表１に示すが、この表１では、９５％を超える生産性を◎、９０％を超えるが９５％以下である生産性を○、９０％以下の生産性を×として表す。この実施例１では△の評価であった。
（実施例２）
第２トレイ６８に冷却ファン６１１が備えられている点を除けば実施例１の画像形成装置と同じ構成の画像形成装置を用いて、実施例１と同様な試験を行い、実施例１と同様にして評価を行った。ここで用いた画像形成装置の特徴的構成とともに結果を表１に示す。実施例２における連続両面出力画像濃度の評価は○＋であり、画像形成生産性の評価は△であった。
（実施例３）
図１に示すように現像領域の近傍に感光体表面１０１の温度を検出する温度センサ１１を配置し、本体制御部９０を、その温度センサ１１の検出結果に基づいて、感光体表面１０１の温度が、現像剤収容体３１に収容されたトナーのガラス転移点温度（５０℃）よりも１０℃低い温度（４０℃）まで上昇していることを検知するものに代えた以外は、実施例１で用いた画像形成装置の構成と同じ構成の画像形成装置を用いた。すなわち、ここで用いた画像形成装置は、連続した両面出力の回数をカウントすることに代えて、温度センサ１１で実際に検出した感光体表面の温度によって、感光体表面が４０℃まで上昇したことを検知するものである。ここでの試験では、実施例１と同様な走行試験の実施中に、本体制御部９０が感光体表面１０１の温度が４０℃まで上昇したことを検知するたびに転写領域Ｓへ吸熱シートを１回送り込み、実施例１と同様にして評価を行った。この画像形成装置の特徴的構成とともに評価結果を表１に示す。この実施例における連続両面出力画像濃度の評価は◎であり、画像形成生産性の評価は○であった。
（実施例４）
吸熱シートを収容した第２トレイ６８に冷却ファンを取り付けた以外は実施例３で用いた画像形成装置の構成と同じ構成の画像形成装置を用いて、実施例３と同様な試験を行い、実施例１と同様にして評価を行った。ここで用いた画像形成装置の特徴的構成とともに評価結果を表１に示す。実施例４におけるそれぞれの評価は、連続両面出力画像濃度の評価および画像形成生産性のいずれも◎であった。
（実施例５）
本体制御部９０を、感光体表面１０１の温度を検出する温度センサ１１の検出結果に基づいて、感光体表面１０１の温度が、現像剤収容体３１に収容されたトナーのガラス転移点温度（５０℃）よりも８℃低い温度（４２℃）まで上昇していることを検知するものに代えた以外は、実施例３で用いた画像形成装置の構成と同じ構成の画像形成装置を用いた。すなわち、ここで用いた画像形成装置は、実施例３で用いた画像形成装置に比べ、感光体表面の温度がより高温になるまで転写領域Ｓへの吸熱シートの送り込みを控えるものである。この実施例５における試験では、実施例１と同様な走行試験の実施中に、本体制御部９０が感光体表面１０１の温度が４２℃まで上昇したことを検知するたびに転写領域Ｓへ吸熱シートを１回送り込み、実施例１と同様にして評価を行った。実施例５で用いた画像形成装置の特徴的構成とともに評価結果を表１に示す。この実施例における連続両面出力画像濃度の評価は△であり、画像形成生産性の評価は○であった。
（比較例）
吸熱シートを転写領域Ｓへ送り込まないようにした以外は、実施例１で用いた画像形成装置の構成と同じ構成の画像形成装置を用いて、実施例１と同様な走行試験を行い、実施例１と同様にして評価を行った。この比較例における連続両面出力画像濃度の評価は×であり、画像形成生産性の評価は◎であった。
【００７７】
連続両面出力画像濃度は１．２０以上であることを合格とし、画像形成生産性は、９０％を超える生産性を合格にすると、吸熱シートを転写領域Ｓへ送り込んだ実施例１〜５においては、連続両面出力画像濃度の評価も、画像形成生産性の評価も合格レベルにある。一方、吸熱シートを転写領域Ｓへ送り込まなかった比較例においては、連続両面出力画像濃度の評価が不合格である。この不合格は、感光体表面の温度が上昇し、現像装置に収容されているトナーが、形成画像の濃度低下が問題になるほど加熱されてしまったことによるものと考える。この結果から、吸熱シートを転写領域Ｓへ送り込むことにより、画像形成の生産性の低下を抑えて感光体表面を冷却することができることが確認された。
【００７８】
続いて、各実施例を詳細に分析する。まず、感光体表面の温度を検出する温度センサを取り除き連続した両面出力の回数に基づいて検知を行う実施例１および２の生産性の評価結果と、その温度センサで実際に検出した感光体表面の温度に基づいて検知を行うその他の実施例の生産性の評価結果とを比較することにより、感光体表面の温度が所定温度まで上昇したことを検知するには、連続した両面出力の回数に基づくよりも、温度センサで実際に検出した感光体表面の温度に基づく方が、生産性の低下が抑えられることがわかる。
【００７９】
また、感光体表面温度が４０℃になったことの検知を受けて転写領域へ吸熱シートを送り込む実施例３とその温度が４２℃になったことの検知を受けて転写領域へ吸熱シートを送り込む実施例７とを比較すると、画像濃度の面では実施例３の方が優れている。この比較から、感光体表面の温度が、トナーのガラス転移点温度よりも１０℃低い温度まで上昇したタイミングで転写領域へ吸熱シートを送り込むことが、形成画像の濃度低下を抑えるには有効であるといえる。
【００８０】
また、第２トレイ６８から冷却ファン６１１が取り外されている実施例１と第２トレイ６８に冷却ファン６１１が備えられている実施例２とを比較すると、画像濃度の面では実施例２の方が優れている。この比較から、第２トレイ６８に冷却ファン６１１を備えることで、転写領域Ｓに吸熱シートを送り込んだときの冷却効果がより大きなものになるということが結論できる。
【図面の簡単な説明】
【００８１】
【図１】本発明の一実施形態である画像形成装置の概略構成を示す図である。
【図２】吸熱シートの構造を模式的に表した断面図である。
【図３】図２に示すゲル状のポリアクリル酸と高分子ポリマー１０２との間に、金属膜が設けられた吸熱シートの模式断面図である。
【図４】図２に示す、水分を吸収したポリアクリル酸を、リン酸ナトリウムの結晶水和物に置き換えた吸熱シートの模式断面図である。
【図５】図４に示すリン酸ナトリウムの結晶水和物と高分子ポリマー１０２との間に、金属膜が設けられた吸熱シートの模式断面図である。
【図６】金属膜を表面に備えた吸熱シートを表した図である。
【図７】金属膜が表面にライン状に配置された吸熱シートを表した図である。
【図８】金属膜が表面に斑点状に配置された吸熱シートを表した図である。
【図９】金属膜をＯＨＰシート内部に取り込んだ吸熱シートの模式断面図である。
【図１０】金属粉が、ＯＨＰシートの材料である高分子ポリマーと混合されて作製された吸熱シートの模式断面図である。
【符号の説明】
【００８２】
１    画像形成装置
１０    感光体
１０１    表面
２０    帯電器
３０    現像装置
３１    現像剤収容体
３２    現像ロール
４０    転写ロール
５０    クリーニングブレード
６０    シート搬送装置
６１    給紙トレイ
６１１    冷却ファン
６２０    送込経路
６３０    転写循環経路
６３１    第１ガイド板
６３２    第２ガイド板
６４０    定着経路
６６０    両面経路
６７    シート搬送制御部
６８    第２トレイ
６８１    冷却ファン
６９０ａ    第１連絡経路
６９０ｂ    第２連絡経路
７０    定着器
７１１    ハロゲンランプ
９０    本体制御部
Ｓ    転写領域
Ｐｎ    用紙
Ｐｔ，Ｐｔ１，Ｐｔ２，Ｐｔ３，Ｐｔ４，Ｐｔ５，Ｐｔ６，Ｐｔ７，Ｐｔ８    用紙
１００    水
１０１    ポリアクリル酸
１０２    高分子ポリマー
１０３    金属膜
１０４    リン酸ナトリウムの結晶水和物
１０５    金属粉
【図１】
2008020737.tif 000004
【図２】
2008020737.tif 000005
【図３】
2008020737.tif 000006
【図４】
2008020737.tif 000007
【図５】
2008020737.tif 000008
【図６】
2008020737.tif 000009
【図７】
2008020737.tif 000010
【図８】
2008020737.tif 000011
【図９】
2008020737.tif 000012
【図１０】
2008020737.tif 000013